(57)【特許請求の範囲】
【請求項１】
回転電子部品の回動軸に嵌着された回転つまみの回動範囲を規制する回転つまみのストッパー構造において、
回動部材に第１のストッパーと第２のストッパーとを形成し、
前記回転電子部品を保持するベースに、前記回転電子部品の回動軸を挿通させると共に、前記回動部材を回転自在に支持するボスを設け、
前記回転つまみに前記第１のストッパーと当接して前記回動部材との相対回動範囲を規制するストッパーを設け、
前記ベースに前記第２のストッパーと当接して、前記回動部材の回動範囲を規制するストッパーを設けたことを特徴とする回転つまみのストッパー構造。
【請求項２】
前記回転つまみのストッパーならびに第１および第２のストッパーが夫々１個の突起で形成され、前記ベースに２個のストッパーが形成されている請求項１記載の回転つまみのストッパー構造。
【請求項３】
前記回転つまみのストッパーが１個の突起で形成され、前記第１のストッパーが凹みの両端面で形成され、前記第２のストッパーおよびベースに設けられたストッパーが夫々１個の突起で形成されている請求項１記載の回転つまみのストッパー構造。
【請求項４】
前記回転つまみの回動範囲を３６０°以上とする請求項１から３のいずれかに記載した回転つまみのストッパー構造。
【発明の詳細な説明】
【技術分野】
【０００１】
この発明は回転つまみのストッパーに係わり、特に、その構造に関する。
【背景技術】
【０００２】
従来の回転つまみのストッパー構造の例を図５および図６により説明する。図５に示すベース１は電子機器の操作パネルを形成し、その背面にロータリエンコーダ３が固定され、ロータリエンコーダ３の回転軸３ａはベース１の穴を挿通してベース１の前面に突出する。回転軸３ａには回転つまみ２が嵌着され、回転つまみ２を図示の矢印方向に回動させることによりロータリエンコーダ３の回転軸３ａが回転される。
【０００３】
このロータリエンコーダ３自体にはストッパーが設けられていない。ロータリエンコーダ３の回転軸３ａの回転範囲は回転つまみ２に設けられた突起２ａとベース１に設けられた突起１ａとが当接することにより規制される。すなわち、突起２ａと突起１ａはロータリエンコーダ３の回転軸３ａの回転範囲を規制するストッパーとなっている。このストッパー構造によると、ロータリエンコーダ３の回転軸３ａの回転範囲は突起２ａおよび突起１ａの厚みの和に相当する角度だけ３６０°より小さくなる。
【０００４】
従って、ロータリエンコーダ３の回転軸３ａの回転範囲を大きくする場合は、図６（ａ）に示すように、ベース１の突起１ａと回転つまみ２の突起２ａを薄くしなければならない。ロータリエンコーダ３の回転軸３ａに嵌着される回転つまみ２には図６（ｂ）に示すように、ロータリエンコーダ３で設定するチヤンネルの目盛りがつけられている。図６（ｂ）では４、８、１２チヤンネルの目盛りが数字で示されている。
【０００５】
ベース１に設けられた標識１ｃに合わされた目盛りのチャンネルをロータリエンコーダ３が設定する。ロータリエンコーダ３で設定するチャンネルの数が多いとロータリエンコーダ３の回転軸３ａの回転範囲を大きくする必要がある。その場合上記したように突起２ａおよび突起１ａの厚みを薄くしなければならない。
【０００６】
ところで、無線機を腰に装着した状態や暗闇で使用する場合、周波数チャンネル目盛りを見ながらチャンネルを設定することが困難であるため、使用者は１チャンネルまたは最大チャンネルまで回転つまみを戻してからクリックをカウントしてチャンネルを設定している。このとき、例えば１チャンネルに回転つまみを戻すとして、現在のチャンネルから回転つまみを勢いよく戻して初期設定するため、ストッパーとなる突起が薄いと、ストッパーが破損してしまう恐れがあった。
【０００７】
特開平７−１５２５８号公報に提案された回転つまみのストッパー構造では、ストッパーとなる凸片が回動位置が設定可能な操作規制ツマミに設けられており、操作ツマミの当接片がこの凸片に当接することにより回転ツマミが停止される。
【０００８】
操作規制ツマミの回動位置が設定された後、操作ツマミの当接片がこの操作規制ツマミの凸片を押しても操作規制ツマミは回動しない構造となっている。このため、上記した操作規制ツマミの凸片と操作ツマミの当接片との厚みの和に相当する角度だけ回転つまみの回動可能範囲が小さくなるという上記従来例の欠点は改善されない。
【特許文献１】特開平７−１５２５８号公報、段落００１０〜段落００１９、図１〜図４
【発明の開示】
【発明が解決しようとする課題】
【０００９】
この発明は上記した点に鑑みてなされたものであって、その目的とするところは、回転つまみの回動範囲を大きくしても強度が減じることのない回転つまみのストッパー構造を提供することにある。
【課題を解決するための手段】
【００１０】
この発明の回転つまみのストッパー構造は、回転電子部品の回動軸に嵌着された回転つまみの回動範囲を規制する回転つまみのストッパー構造において、回動部材に第１のストッパーと第２のストッパーとを形成し、前記回転電子部品を保持するベースに、前記回転電子部品の回動軸を挿通させ、前記回動部材を回転自在に支持するボスを設け、前記回転つまみに前記第１のストッパーと当接して前記回動部材との相対回動範囲を規制するストッパーを設け、前記ベースに前記第２のストッパーと当接して、前記回動部材の回動範囲を規制するストッパーを設けたものである。
【００１１】
また、前記回転つまみのストッパー構造において、前記回転つまみのストッパーならびに第１および第２のストッパーが夫々１個の突起で形成され、前記ベースに２個のストッパーが形成されているものである。
【００１２】
また、同回転つまみのストッパー構造において、前記回転つまみのストッパーが１個の突起で形成され、前記第１のストッパーが凹みの両端面で形成され、前記第２のストッパーおよびベースのストッパーが夫々１個の突起で形成されているものである。
【００１３】
さらに、前記各回転つまみのストッパー構造において、前記回転つまみの回動範囲を３６０°以上とするものである。
【発明の効果】
【００１４】
この発明の回転つまみのストッパー構造によれば、ストッパーの強度を減じることなく、回転つまみの回動範囲を広げることができる。また、回動部材の形状のみを変更して回転つまみの回動範囲を変えることができる。
【発明を実施するための最良の形態】
【００１５】
以下この発明を実施するための最良の形態を実施例に即して説明する。
【実施例１】
【００１６】
図１（ａ）はこの発明の実施例１である回転つまみのストッパー構造を示す分解斜視図である。図１（ａ）に示すベース１は電子機器の操作パネルを形成し、その背面にロータリエンコーダが固定され、ロータリエンコーダの回転軸３ａはベース１の穴を挿通してベース１の前面に突出する。
【００１７】
回転軸３ａには回転つまみ２が嵌着され、回転つまみ２を図示の矢印方向に回動させることによりロータリエンコーダの回転軸３ａが回転される。回転つまみ２にはストッパーを形成する突起２ａが設けられている。
【００１８】
ベース１にはロータリエンコーダの回転軸３ａを挿通させるボス１ｂが設けられ、ボス１ｂは回動部材４を回動自在に支持している。ボス１ｂから突出するようにストッパーを形成する突起１ａ、１ａが設けられている。
【００１９】
回動部材４には回転つまみ２の突起２ａと当接し第１のストッパーを形成する突起４ａとベース１の突起１ａ、１ａと当接し第２のストッパーを形成する突起４ｂが設けられている。
【００２０】
図１（ｂ）は上記ストッパー構造の部材位置関係を示す概略平面図である。図１（ｂ）でＣＨを示す位置には後でこの回転つまみのストッパー構造の動作説明するときに参照する図２においてロータリエンコーダが設定するチャンネルが数字で示される。
【００２１】
次に、図２を参照してこの回転つまみのストッパー構造の動作説明する。図２において各部材を示す符号は図１（ｂ）と同様であり図示を省略している。また矢印で回転つまみ２の回動位置が変化する順序が示されている。
【００２２】
図に示すようにチャンネル１が設定される状態では回転つまみ２の突起２ａと回動部材４の突起４ａが当接し、回動部材４の突起４ｂとベース１の突起１ａが当接しており、回転つまみ２の反時計方向の回動が規制される。しかしながらこの状態から回転つまみ２を時計方向に回動させることは可能である。
【００２３】
チャンネル１の設定状態から回転つまみ２を時計方向に回動させると図に示すようにチャンネル２，３、４…の設定状態を経由してチャンネル１４の設定状態となる。このとき、回動部材４は回動しない。
【００２４】
チャンネル１４の設定状態では回転つまみ２の突起２ａと回動部材４の突起４ａが当接する。そして、回転つまみ２をさらに時計方向に回動させると、回転つまみ２は回動部材４を時計方向に回動させてチャンネル１５の設定状態を経由してチャンネル１６の設定状態となる。
【００２５】
チャンネル１６の設定状態では回動部材４の突起４ｂがベース１の突起１ａと当接状態となり、回転つまみ２の時計方向の回動が規制される。しかしながらこの状態から回転つまみ２を反時計方向に回動させることは可能である。
【００２６】
回転つまみ２を反時計方向に回動させると、図に示すようにチャンネル１５，１４の設定状態を経由してチャンネル３の設定状態となる。この間、回動部材４は回動しない。チャンネル３の設定状態では回転つまみ２の突起２ａと回動部材４の突起４ａが当接状態となる。
【００２７】
そして、回転つまみ２をさらに反時計方向に回動させると、回転つまみ２は回動部材４を反時計方向に回動させてチャンネル２の設定状態を経由してチャンネル１の設定状態となる。チャンネル１の設定状態では回動部材４の突起４ｂとベース１の突起１ａが当接状態となり、回転つまみ２の反時計方向の回動が規制される。
【００２８】
このように、回転つまみ２の回動範囲が規制されるが、ベース１の突起１ａ、１ａの間隔を大きくすることにより、各突起の厚さを薄くすることなく、回転つまみ２の回動範囲を広げることができ、回転つまみ２の回動範囲を３６０°以上とすることも可能である。なお、上記ベース１の突起１ａ、１ａの間は凹みとなっており、『突起』と『凹み』とは表現上の差にすぎない。
【実施例２】
【００２９】
図３（ａ）はこの発明の実施例２である回転つまみのストッパー構造を示す分解斜視図である。図３（ａ）に示すベース１は電子機器の操作パネルを形成し、その背面にロータリエンコーダが固定され、ロータリエンコーダの回転軸３ａはベース１の穴を挿通してベース１の前面に突出する。
【００３０】
回転軸３ａには回転つまみ２が嵌着され、回転つまみ２を図示の矢印方向に回動させることによりロータリエンコーダの回転軸３ａが回転される。回転つまみ２にはストッパーを形成する突起２ａが設けられている。
【００３１】
ベース１にはロータリエンコーダの回転軸３ａを挿通させるボス１ｂが設けられ、ボス１ｂは回動部材５を回動自在に支持している。ボス１ｂから突出するようにストッパーを形成する突起１ａが設けられている。
【００３２】
回動部材４には凹み５ｂが設けられている。凹み５ｂの両端面は回転つまみ２の突起２ａと当接し第１のストッパーを形成する。回動部材４にはさらに突起５ａが設けられており、この突起５ａはベース１の突起１ａと当接し第２のストッパーを形成している。
【００３３】
図３（ｂ）は上記ストッパー構造の部材位置関係を示す概略平面図である。図３（ｂ）でＣＨを示す位置には後でこの回転つまみのストッパー構造の動作説明するときに参照する図４においてロータリエンコーダが設定するチャンネルが数字で示される。
【００３４】
次に、図４を参照してこの回転つまみのストッパー構造の動作説明する。図４において各部材を示す符号は図３（ｂ）と同様であり図示を省略している。また矢印で回転つまみ２の回動位置が変化する順序が示されている。
【００３５】
図に示すようにチャンネル１が設定される状態では回転つまみ２の突起２ａと回動部材５の凹み５ｂの端面が当接し、回動部材５の突起５ａとベース１の突起１ａが当接しており、回転つまみ２の反時計方向の回動が規制される。しかしながらこの状態から回転つまみ２を時計方向に回動させることは可能である。
【００３６】
チャンネル１の設定状態から回転つまみ２を時計方向に回動させると図に示すようにチャンネル２の設定状態を経由してチャンネル３の設定状態となる。このとき、回動部材５は回動しない。
【００３７】
チャンネル３の設定状態では回転つまみ２の突起２ａと回動部材５の凹み５ｂの端面が当接する。そして、回転つまみ２をさらに時計方向に回動させると、回転つまみ２は回動部材５を時計方向に回動させてチャンネル４…１５の設定状態を経由してチャンネル１６の設定状態となる。
【００３８】
チャンネル１６の設定状態では回動部材５の突起５ａがベース１の突起１ａと当接状態となり、回転つまみ２の時計方向の回動が規制される。しかしながらこの状態から回転つまみ２を反時計方向に回動させることは可能である。
【００３９】
回転つまみ２を反時計方向に回動させると、図に示すようにチャンネル１５の設定状態を経由してチャンネル１４の設定状態となる。この間、回動部材５は回動しない。チャンネル１４の設定状態では回転つまみ２の突起２ａと回動部材５の凹み５ｂの端面が当接状態となる。
【００４０】
そして、回転つまみ２をさらに反時計方向に回動させると、回転つまみ２は回動部材５を反時計方向に回動させてチャンネル１３、１２…２の設定状態を経由してチャンネル１の設定状態となる。チャンネル１の設定状態では回動部材５の突起５ａとベース１の突起１ａが当接状態となり、回転つまみ２の反時計方向の回動が規制される。
【００４１】
このように、回転つまみ２の回動範囲が規制されるが、回動部材５の凹み５ｂの幅を大きくすることにより、各突起の厚さを薄くすることなく、回転つまみ２の回動範囲を広げることができ、回転つまみ２の回動範囲を３６０°以上とすることも可能である。なお、回動部材５の凹み５ｂの間は突起となっており、『突起』と『凹み』とは表現上の差にすぎない。ベース１の『突起』についても同様である。
【００４２】
実施例は以上のように構成されているが発明はこれに限られず、例えば、ロータリエンコーダの代わりにボリューム、ロータリスイッチ等の回転電子部品にこの発明を適用することも可能である。
【図面の簡単な説明】
【００４３】
【図１】図１（ａ）はこの発明の実施例１である回転つまみのストッパー構造を示す分解斜視図、図１（ｂ）は同ストッパー構造の部材位置関係を示す概略平面図である。
【図２】同ストッパー構造の動作状態を示す概略平面図である。
【図３】図３（ａ）はこの発明の実施例２である回転つまみのストッパー構造を示す分解斜視図、図３（ｂ）は同ストッパー構造の部材位置関係を示す概略平面図である。
【図４】同ストッパー構造の動作状態を示す概略平面図である。
【図５】従来の回転つまみのストッパー構造の例を示す分解斜視図である。
【図６】図６（ａ）は従来の回転つまみのストッパー構造の回動範囲を大きくした例を示す分解斜視図、図６（ｂ）は同ストッパー構造の部材位置関係を示す概略平面図である。
【符号の説明】
【００４４】
１  ベース、１ａ  突起、１ｂ  ボス、１ｃ  標識
２  回転つまみ、２ａ  突起
３  ロータリエンコーダ、３ａ  回転軸
４  回動部材、４ａ  突起、４ｂ  突起
５  回動部材、５ａ  突起、５ｂ  凹み
【図１】
0004508849.tif 000002
【図２】
0004508849.tif 000003
【図３】
0004508849.tif 000004
【図４】
0004508849.tif 000005
【図５】
0004508849.tif 000006
【図６】
0004508849.tif 000007